(57)【要約】【課題】指向性能を向上させたレジスタを提供する。【解決手段】レジスタのうち、フィン群とリテーナとの少なくとも一方に、端側フィンが回動し下流端部をリテーナの内周面に向けたときに、端側フィンの下流端部とリテーナの内周面との隙間を流れる空気を遮蔽する遮蔽手段を設ける。【選択図】図２
2006088806.tif 000002
【特許請求の範囲】
【請求項１】
略筒状に形成され筒内部が通風路を構成するリテーナと、略板状に形成され回動軸を持つ複数のフィンが該リテーナの筒内部に並設されてなるフィン群と、を持ち、各々の該フィンが回動して該リテーナから流出する風の向きを調整するレジスタであって、
前記フィン群と前記リテーナとの少なくとも一方は、前記フィン群のうち端側に配置される端側フィンが回動し空気流路下流側の端部を前記リテーナの内周面に向けたときに、該端側フィンの空気流路下流側の端部と前記リテーナの内周面との隙間を流れる空気を遮蔽する遮蔽手段を備えることを特徴とするレジスタ。
【請求項２】
前記遮蔽手段は前記リテーナのうち前記端側フィンの空気流路下流側の端部よりも空気流路上流側の位置から内周方向に隆起する隆起部からなり、
該隆起部は、前記端側フィンが回動し空気流路下流側の端部を前記リテーナの内周面に向けた時に、前記端側フィンの空気流路下流側の端部と前記リテーナの内周面との隙間を覆う請求項１記載のレジスタ。
【請求項３】
前記遮蔽手段は前記リテーナのうち前記端側フィンの空気流路下流側の端部よりも空気流路上流側の位置から内周方向に隆起する隆起部からなり、
該隆起部は、前記端側フィンが回動し空気流路下流側の端部を前記リテーナの内周面に向けた時に、前記端側フィンのうち空気流路下流側の部分と面接触する請求項１記載のレジスタ。
【請求項４】
前記遮蔽手段は前記端側フィンからなり、
前記端側フィンは、空気流路上流側に配置される上流部材と、空気流路下流側に配置され該上流部材とは独立に回動する下流部材とが連結されてなり、
該下流部材は、前記端側フィンが回動し空気流路下流側の端部を前記リテーナの内周面に向けた時に、前記上流部材よりも大きく回動して前記リテーナの内周面に当接する請求項１記載のレジスタ。
【発明の詳細な説明】
【技術分野】
【０００１】
本発明は空調装置から供給された空気の風向を調整するためのレジスタに関する。
【背景技術】
【０００２】
空調装置の空気流路下流側に配置され、空調装置から供給された空気の風向を調整するためのレジスタとしては、従来より種々のものが知られている。これらレジスタは、略筒状のリテーナと、リテーナの筒内部に設けられた複数のフィンとを持つものであり、各々のフィンを回動させてその角度を調整することで、風向を調整する部材である。
【０００３】
このような従来のレジスタにおいては、各フィン群を構成する各々のフィンを回動させて各々のフィンを略平行に配すると、各々のフィン同士の隙間で構成される空気流路１４１（以下、フィン間流路と呼ぶ）を通る空気はフィンの表面に沿った方向に誘導される。
【０００４】
ところで、例えば図１０に示すように、フィン群を構成するフィン１２０のうち端側に配される端側フィン１２５、１２６が回動し、空気流路下流側の端部１２７（以下、下流端部と呼ぶ）をリテーナ１０１の内周面に向けたときには、レジスタを流れる空気がフィン１２０の表面に沿った方向に誘導されない場合がある。すなわち、端側フィン１２５、１２６とリテーナ１０１の内周面とで構成される空気流路１４０（以下、端側流路と呼ぶ）のうちリテーナ１０１の内周面寄りの部分を流れる空気は、リテーナ１０１の内周面に沿った方向に誘導される。そして、フィン間流路１４１を通る空気の流れは端側流路１４０を通る空気の流れに干渉されて、フィン１２０の表面に沿った方向とは異なった方向に誘導される。このため、レジスタの指向性能、すなわち、風向を所望する方向に制御する性能が悪くなる問題があった。
【０００５】
一方、例えば、端側流路１４０に隣接するフィン間流路１４１を通る空気の流れによって他のフィン間流路１４１を通る空気の流れが干渉されることに着目し、端側フィン１２５、１２６が下流端部１２７をリテーナ１０１の内周面に向けたときに、端側流路１４０に隣接するフィン間流路１４１を閉じてレジスタの指向性能を高める技術もある（例えば、特許文献１、特許文献２）。このような技術を用いると、端側流路１４０に隣接するフィン間流路１４１（１４３）を通る空気によって他のフィン間流路１４１を通る空気の流れが干渉されることはなくなる。しかし、端側流路１４０を通る空気によって他のフィン間流路１４１を通る空気の流れが干渉される問題は依然解決されない。
【０００６】
また、端側フィン１２５、１２６が下流端部１２７をリテーナ１０１の内周面に向けると端側流路１４０が狭まる。このため上述した空気流れへの干渉は少なくなる。しかし、各々のフィン１２０が回動すると、空気流路上流側の端部１２８（以下、上流端部と呼ぶ）と下流端部１２７とは逆側に配置される。したがって、図１１に示すように、一方の端側フィン１２６の下流端部１２７をリテーナ１０１の内周面に向けると他方の端側フィン１２５の上流端部１２８がリテーナの内周面に干渉する。このため、上述した空気流れへの干渉を抑制できる程度にまで端側フィン１２５、１２６の下流端部１２７をリテーナ１０１の内周面に当接させることができず、端側流路１４０を充分に遮蔽できない問題があった。
【特許文献１】特開２０００−３３５２３５号公報
【特許文献２】特開２００４−０３４７７６号公報
【発明の開示】
【発明が解決しようとする課題】
【０００７】
本発明は上記事情を考慮してなされたものであり、指向性能を向上させたレジスタを提供することを目的とする。
【課題を解決するための手段】
【０００８】
上記課題を解決する本発明のレジスタは、略筒状に形成され筒内部が通風路を構成するリテーナと、略板状に形成され回動軸を持つ複数のフィンがリテーナの筒内部に並設されてなるフィン群と、を持ち、各々のフィンが回動してリテーナから流出する風の向きを調整するレジスタであって、上記フィン群と上記リテーナとの少なくとも一方は、上記フィン群のうち端側に配置される端側フィンが回動し空気流路下流側の端部を上記リテーナの内周面に向けたときに、端側フィンの空気流路下流側の端部と上記リテーナの内周面との隙間を流れる空気を遮蔽する遮蔽手段を備えることを特徴とする。
【０００９】
本発明のレジスタは、下記（１）〜（３）の何れかの構成であることが好ましい。
（１）上記遮蔽手段は上記リテーナのうち上記端側フィンの空気流路下流側の端部よりも空気流路上流側の位置から内周方向に隆起する隆起部からなり、隆起部は、上記端側フィンが回動し空気流路下流側の端部を上記リテーナの内周面に向けた時に、上記端側フィンの空気流路下流側の端部と上記リテーナの内周面との隙間を覆う。
（２）上記遮蔽手段は上記リテーナのうち上記端側フィンの空気流路下流側の端部よりも空気流路上流側の位置から内周方向に隆起する隆起部からなり、隆起部は、上記端側フィンが回動し空気流路下流側の端部を上記リテーナの内周面に向けた時に、上記端側フィンのうち空気流路下流側の部分と面接触する。
（３）上記遮蔽手段は上記端側フィンからなり、上記端側フィンは、空気流路上流側に配置される上流部材と、空気流路下流側に配置され上流部とは独立に回動する下流部材とが連結されてなり、下流部材は、上記端側フィンが回動し空気流路下流側の端部を上記リテーナの内周面に向けた時に、上記上流部材よりも大きく回動して上記リテーナの内周面に当接する。
【発明の効果】
【００１０】
本発明のレジスタでは、フィン群とリテーナとの少なくとも一方は、端側フィンが回動し下流端部をリテーナの内周面に向けたときに端側流路を遮蔽する遮蔽手段を備える。このため、端側流路を流れる空気がフィン間流路を流れる空気の風向を干渉することはなくなり、レジスタは指向性能に優れたものとなる。
【００１１】
また、本発明のレジスタにおいて、遮蔽手段が上記（１）の構成であれば、遮蔽手段が端側流路の上流側で空気流路を狭めて、端側流路の空気流通量がなくなるかあるいは極度に小さくなる。このため、端側フィンの下流端部がリテーナの内周面に充分に当接せず、下流端部とリテーナの内周面との間に隙間が生じる場合にも、端側流路を通る空気によってフィン間流路を通る空気の風向が干渉されることはない。
【００１２】
遮蔽手段が上記（２）の構成であれば、端側フィンのうち空気流路下流側の部分が隆起部と面接触するために、端側フィンとリテーナの内周面とが大きい面積で当接して、端側流路が確実に遮蔽される。
【００１３】
遮蔽手段が上記（３）の構成であれば、端側フィンのうち下流部材が上流部材よりも大きく回動するために、側端フィンの上流端部がリテーナの内周面に干渉することなく、端側フィンの下流端部で端側流路を充分に遮蔽できる。
【発明を実施するための最良の形態】
【００１４】
本発明のレジスタは一のみのフィン群を持つものであっても良いし、複数のフィン群を持つものであっても良い。例えば、複数の縦フィンがリテーナの左右方向に並設されてなる縦フィン群と、複数の横フィンがリテーナの上下方向に並設されてなる横フィン群との両方を備えるものであっても良い。本発明のレジスタに複数のフィン群を設ける場合には、遮蔽手段は、一のフィン群の端側流路のみを遮蔽するものであっても良いし、複数のフィン群の端側流路を遮蔽するものであっても良い。また、個々のフィン群に対して別個に設けても良い。以下、本発明のレジスタを図面を基に説明する。
【００１５】
（実施例１）
本実施例のレジスタは、上記（１）のレジスタの一例である。実施例１のレジスタを模式的に表す切り欠き斜視図を図１に示し、図１を上方からみた上面図を図２に示す。
【００１６】
本実施例のレジスタは、略筒状のリテーナ１と、リテーナ１の筒内部に左右に並設されている複数の縦フィン２０からなる縦フィン群２と、リテーナ１の筒内部に上下に並設されている複数の横フィン３０からなる横フィン群３と、をもつ。また、リテーナ１の前面には、略枠状のベゼル部材４が取付されている。リテーナ１の後側には図示しないエアコン装置が取り付けされ、エアコン装置から吹き出した風はリテーナ１の筒内部を通りベゼル部材４の枠内部を介して流出する。ベゼル部材４の側方にはリテーナ１の側方空間と連通する第１窓部（図示せず）が設けられ、下方にはリテーナ１の下方空間と連通する第２窓部（図示せず）が設けられている。
【００１７】
縦フィン２０および横フィン３０は、長尺の略平板状に形成され、長尺方向の両端に回動軸を持つ。そして、各々の縦フィン２０は上下に延びる回動軸を中心に回動し、各々の横フィン３０は左右に延びる回動軸を中心に回動する。縦フィン群２は空気流路の上流側に設けられ、横フィン群３は空気流路の下流側に設けられている。
【００１８】
各々の横フィン３０のうち、右端側と左端側とには、左右に延びる回動軸３１が設けられている。そして、左右の回動軸がリテーナ１の側壁に挿通されて回動可能に枢支されている。また、各々の横フィン３０の後側の位置には右方に延びる横フィン側連結部３２が設けられている。横フィン側連結部３２は、略棒状の第１リンク板３３に挿通されて回動可能に枢支されている。第１リンク板３３はリテーナ１の内部右側に上下に延設されている。第１リンク板３３には、図示しない横フィン側操作部が取付されている。横フィン側操作部は、一端が第１リンク板３３に固定され他端が第１窓部に挿通されてレジスタの前側に表出している。
【００１９】
横フィン側操作部を上下に動かすと、第１リンク板３３は上下に動き、各々の横フィン３０に設けられている横フィン側連結部３２が上下に動く。このため、各々の横フィン３０は回動軸３１を中心に同期して回動する。
【００２０】
各々の縦フィン２０のうち上側の回動軸２１は、リテーナ１の上壁に挿通されて回動可能に枢支されている。また、各々の縦フィン２０のうち下側の回動軸２２は、リテーナ１の下壁に挿通されて回動可能に枢支されている。下側の回動軸２２のうちリテーナ１の下壁外方に通り抜けた突出端には、一旦後方に屈曲し、再度下方に屈曲する縦フィン側連結部が設けられている。この縦フィン側連結部の下端部である駆動端部２３は、略棒状の第２リンク板２４に挿通されて回動可能に枢支されている。第２リンク板２４はリテーナ１の外部下側に左右に延設され、その略中央部には、前方に延びる縦フィン側操作部（図示せず）が取付されている。縦フィン側操作部のうち、第２リンク板２４と一体化されている側と反対側の端部は、第２窓部に挿通されてレジスタの前側に表出している。
【００２１】
各々の縦フィン２０は第２リンク板２４によって連結されている。そして、縦フィン２０側操作端を左右に動かすと、第２リンク板２４が左右に動き、各々の縦フィン２０に設けられている駆動端部２３が左右に動くために、各々の縦フィン２０は回動軸２１、２２を中心に同期して回動する。
【００２２】
本実施例のレジスタにおいては、縦フィン群２を構成する縦フィン２０のうち、左端側に配置されている左端フィン２５と、右端側に配置されている右端フィン２６とが端側フィンとなる。
【００２３】
ここで、このレジスタにおいて、リテーナ１の左側壁と右側壁とには内周方向に隆起するリブ状の隆起部１０が設けられている。この隆起部１０は、縦フィン２０の延びる方向と同じ上下方向に延設されている。そして隆起部１０は、リテーナ１のうち端側フィン２５、２６の下流端部２７よりも空気流路上流側であり、端側フィン２５、２６の上流端部２８よりも空気流路下流側の位置に設けられている。
【００２４】
このレジスタでは、縦フィン２０を回動させて端側フィン２５、２６の下流端部２７をリテーナ１の内周面に向け、下流端部２７をリテーナ１の内周面に近接させると、隆起部１０が下流端部２８と内周面との隙間に形成される端側流路４０を空気流路上流側から覆って、端側流路４０を流れる空気を遮蔽する。このため、端側流路４０を通る空気の流量が著しく低減する。したがって、端側流路４０を通る空気がフィン間流路４１を通る空気の風向を干渉することがなくなる。
【００２５】
本実施例においては、隆起部１０は、リテーナ１のうち端側フィン２５、２６の下流端部２７よりも空気流路上流側であり、端側フィン２５、２６の上流端部２８よりも空気流路下流側の位置に設けられており、リテーナ１のうち端側フィン２５、２６の下流端部２７に近接する部分に近い位置に配されている。このため、隆起部１０によって端側流路４０を確実に遮蔽することができ、端側流路４０を通る空気がフィン間流路４１を通る空気の流れを干渉する不具合が確実に抑えられて、レジスタにより優れた指向性能が付与される。
【００２６】
そして、隆起部１０はリテーナ１のうち端側フィン２５、２６の下流端部２７よりも空気流路上流側であり、端側フィン２５、２６の上流端部２８よりも空気流路下流側の位置にリブ状に設けられているために、隆起部１０が端側フィン２５、２６の上流端部２８と干渉することもない。このため、端側フィン２５、２６の下流端部２７をリテーナ１の内周面に非常に近接した位置に配することができ、端側流路４０を非常に狭くすることができる。したがって、端側流路４０を通る空気がフィン間流路４１を通る空気の流れを干渉する不具合がさらに抑えられて、レジスタの指向性能はさらに向上する。
【００２７】
さらに、本実施例においては、隆起部１０はリテーナ１の左側壁と右側壁との両方に設けられている。このため、縦フィン２０を回動させて風向を左方に調整する際には、左側壁の隆起部１０によって左端フィン２５とリテーナ１の左側壁との隙間に形成される左側流路４２が覆われる。そして、縦フィン群２を回動させて風向を右方に調整する際には、右側壁の隆起部１０によって右端フィン２６とリテーナ１の右側壁との隙間に形成される右側流路４３が覆われる。このため、本実施例のレジスタでは左右両方向の風向が所望通りの方向に設定でき、レジスタの指向性能はさらに高められている。
【００２８】
なお、本実施例において隆起部１０は左側壁と右側壁との両方に設けられているが、何れか一方のみに設けても良い。
【００２９】
さらに、隆起部１０を、横フィン群３に対応する上下側壁に設けても良い。この場合には、横フィン群３を構成する横フィン３０同士の隙間を通る空気の流れが干渉されなくなり、レジスタに優れた指向性能が付与される。
【００３０】
（実施例２）
本実施例のレジスタは、上記（２）のレジスタの一例である。本実施例のレジスタを図２と同位置からみた上面図を図３に示す。
【００３１】
本実施例のレジスタは、隆起部１０の形状以外は実施例１のものと同じ形状に形成されている。隆起部１０は、リテーナ１の左側壁と右側壁とに設けられている。隆起部１０のうち、空気流路下流側には、空気流路下流側に向けて広がり空気流路上流側に向けて狭まる傾斜面１１が設けられている。
【００３２】
本実施例のレジスタでは、縦フィン２０が回動し端側フィン２５、２６２５、２６が下流端部２７をリテーナ１の内周面に向けると、隆起部１０の傾斜面１１が端側フィン２５、２６のうち空気流路下流側の部分と面接触する。このため、端側フィン２５、２６とリテーナ１の内周面とが大きい面積で当接して、端側流路４０が確実に遮蔽される。したがって、本実施例のレジスタでも、端側流路４０を通る空気がフィン間流路４１を通る空気の流れを干渉する不具合が抑えられて、レジスタは指向性能に優れたものとなる。
【００３３】
（実施例３）
本実施例のレジスタは、上記（２）のレジスタの一例である。本実施例のレジスタを図２と同位置からみた上面図を図４〜６に示す。
【００３４】
本実施例のレジスタは、実施例１のものと同じ形状の縦フィン２０を持つ。各々の縦フィン２０は実施例１のものと同様に上側の回動軸２１がリテーナ１の上壁に挿通され回動可能に枢支されている。下側の回動軸２２は、実施例１のものと同様にリテーナ１の下壁に挿通されて回動可能に枢支されている。下側の回動軸のうちリテーナ１の下壁外方に通り抜けた突出端には、実施例１のものと同様の縦フィン側連結部が設けられている。
【００３５】
本実施例のレジスタでは、リテーナ１のうち空気流路下流側の端部から端側フィン２５、２６の下流端部２７よりもやや空気流路下流寄りの位置までの部分は大径に形成され、空気流路上流側の端部から端側フィン２５、２６の上流端部２８と下流端部２７との間の位置までの部分は小径に形成されている。そして、この２つの部分の間の部分は、両者を連絡する傾斜形状になっている。すなわち、リテーナ１のうち端側フィン２５、２６の下流端部２７よりも空気流路上流側の部分は内周方向に隆起した形状になっている。本実施例ではこの隆起した部分が隆起部１０となる。
【００３６】
本実施例のレジスタでは、縦フィン２０は左右に５つ並設されている。このうち中央に配されている３つの縦フィン２０（中央フィン）は、縦フィン側連結部の駆動端部２３が略棒状の第１副板５０に挿通されて回動可能に枢支されている。３つの中央フィンを左から順に左フィン８０、中フィン８１、右フィン８２と呼ぶ。
【００３７】
一方の端側フィンである左端フィン２５は、駆動端部２３が左側第２副板５１の左端に回動可能に枢支されている。他方の端側フィンである右端フィン２６は、駆動端部２３が右側第２副板５２の右端に回動可能に枢支されている。
【００３８】
左側第２副板５１の右端と第１副板５０の左端とは、左側連結副板５３で連結されている。左側第２副板５１の右端には貫通孔が設けられ、左側連結副板５３の右端と左端とにも貫通孔が設けられている。左側連結副板５３の右端に設けられている貫通孔には、左フィン８０に設けられている縦フィン側連結部の駆動端部２３が回動可能に挿通されている。
【００３９】
また、左側第２副板５１の右端に設けられている貫通孔と、左側連結副板５３の左端に設けられている貫通孔とには棒状の左側ガイド軸部５４が回動可能に挿通されている。リテーナ１の下側壁のうち、左フィン８０の後方には右前方から左後方に延びる左側ガイド溝１２が設けられている。この左側ガイド溝１２は右端から弧状に延びる第１ガイド部１３と、第１ガイド部１３の左端に連続する弧状の第２ガイド部１４とからなる。第２ガイド部１４は、図４に示されるように、縦フィン２０が空気流路と平行な方向に配されるときの左端フィン２５の駆動端部２３を中心とした円弧状に延びる。左側ガイド軸部５４は、左側ガイド溝１２にスライド可能に保持されている。
【００４０】
他方の端側フィンである右端フィン２６は、駆動端部２３が右側第２副板５２の右端に回動可能に枢支されている。そして、右側第２副板５２の左端と第１副板５０の右端とは、右側連結副板５５で連結されている。右側第２副板５２の左端と、右側連結副板５５の右端と左端とにも貫通孔が設けられている。右側第２副板５２の左端に設けられている貫通孔と、右側連結副板５５の右端に設けられている貫通孔とには棒状の右側ガイド軸部５６が挿通されている。リテーナ１の下側壁のうち、右フィン８２の後方には左側ガイド溝１２と対称形状の右側ガイド溝１５が設けられている。この右側ガイド溝１５は右側ガイド軸部５６をスライド可能に保持する。
【００４１】
左側第２副板５１、右側第２副板５２、左側連結副板５３および右側連結副板５５は、第１副板５０よりも短尺に形成され、互いに同形状に形成されている。本実施例のレジスタでは、第１副板５０、左側第２副板５１、右側第２副板５２、左側連結副板５３および右側連結副板５５から第２リンク板２４が構成されている。
【００４２】
本実施例のレジスタでは、縦フィン２０を回動させ左端フィン２５の下流端部２７をリテーナ１の左側壁に向ける場合には、図５に示すように、第１副板５０が右方に動き、中央フィン（右フィン８２、中フィン８１、左フィン８０）が回動軸２１、２２を中心に回動して、下流端部２７を左側に向け上流端部２８を右側に向ける。そして、第１副板５０に連結されている左側連結副板５３が右側に引っ張られる。すると、左側ガイド軸部５４が左側ガイド溝１２の第１ガイド部１３内を右方にスライドして、左側連結副板５３に連結されている左側第２副板５１が右側に引っ張られる。左側第２副板５１の左端は左端フィン２５の駆動端部２３に連結されているために、左側第２副板５１が右側に引っ張られると左端フィン２５は右まわりに回動して下流端部２７をリテーナ１の左側壁に向ける。リテーナ１の左側壁には隆起部１０が設けられており、端側フィン２５の下流端部２７よりも空気流路上流側の部分には、空気流路下流側に向けて広がり空気流路上流側に向けて狭まる傾斜面１１が形成されているために、左端フィン２５の空気流路下流側の部分は隆起部１０の傾斜面１１と面接触する。したがって、端側フィン２５、２６とリテーナ１の内周面とが大きい面積で当接して、左側流路４２が確実に遮蔽される。
【００４３】
また、このとき、第１副板５０が右方に動くと第１副板５０に連結されている右側連結副板５５が右方に押される。そして右側ガイド軸部５６が右側ガイド溝１５の第２ガイド部１４内を右方にスライドする。ここで、第２ガイド部１４は右端フィン２６が空気流路と平行な方向に配されるときの右端フィン２６の駆動端部２３を中心とした円弧状に延びる。このため、第２ガイド部１４内に保持されている右側ガイド軸部５６は右端フィン２６の駆動端部２３を中心とした円弧上をスライドする。そして、左端に右側ガイド軸部５６が挿通されている右側第２副板５２は右端フィン２６の駆動端部２３を中心に回動する。このため、縦フィン群２のうち中央フィン（右フィン８２、中フィン８１、左フィン８０）および左端フィン２５を回動させて風向を左方に調整する際には右端フィン２６は回動せず、空気流路と平行な方向に配される。
【００４４】
一方、図５に示す状態から縦フィン２０を回動させ右端フィン２６の下流端部２７をリテーナ１の右側壁に向ける場合には、図６に示すように、第１副板５０が左方に動き、第１副板５０に連結されている右側連結副板５５が左側に引っ張られ、右側ガイド軸部５６が右側ガイド溝１５の第２ガイド部１４を左方にスライドし、さらに、第１ガイド部１３内を左方にスライドする。そして、右側連結副板５５に連結されている右側第２副板５２が左側に引っ張られ、右端フィン２６が回動して下流端部２７をリテーナ１の右側壁に向ける。そして右端フィン２６の空気流路下流側の部分はリテーナ１の右側壁に設けられている隆起部１０の傾斜面１１と面接触するため、端側フィン２６とリテーナ１の内周面とが大きい面積で当接して、右側流路４３が確実に遮蔽される。そして、第１副板５０に連結されている左側連結副板５３が左方に押され、左側ガイド軸部５４が左側ガイド溝１２の第１ガイド部１３内を左方にスライドする。左側ガイド軸部５４が第１ガイド部１３内を左方にスライドすると、左端フィン２５の駆動端部２３が左方に押されて左端フィン２５が空気流路と平行な方向にまで回動する。そして、引き続き左側ガイド軸部５４が第２ガイド部１４内を左方にスライド移動するが、このとき左側ガイド軸部５４は左端フィン２５の駆動端部２３を中心とした円弧上をスライド移動するために、左端フィン２５はそれ以上回動せず、空気流路と平行な方向に配されたままとなる。
【００４５】
本実施例のレジスタでは、端側フィン２５、２６が下流端部２７をリテーナ１の内周面に向ける際に、端側フィン２５、２６の下流端側の部分が隆起部１０に面接触する。このため、端側流路４２、４３が確実に遮蔽され、端側流路４２、４３を通る空気がフィン間流路４１を通る空気の流れを干渉する不具合が抑えられて、レジスタは指向性能に優れたものとなる。
【００４６】
また、本実施例のレジスタでは、一方の端側フィン２５（２６）の下流端部２７をリテーナ１の側壁、すなわち、内周面に向けるときに、他方の端側フィン２６（２５）は空気流路と平行な方向に配され、それ以上回動しないようになっている。このため、一方の端側フィン２５（２６）の上流端部２８がリテーナ１の内周面と干渉して他方の端側フィン２６（２５）の回動が妨げられることはなく、端側流路４０をより確実に遮蔽することができる。このため、端側流路４２、４３を通る空気がフィン間流路４１を通る空気の流れを干渉する不具合がさらに抑えられて、レジスタの指向性能はさらに向上する。
【００４７】
なお、隆起部１０は、例えば実施例２の隆起部１０と同様にリブ状に形成し、一部に本実施例のものと同様の傾斜面１１を設けても良い。この場合にも、端側フィン２５、２６の下流端側の部分が隆起部１０と面接触し、同様に端側流路４０を確実に遮蔽できる。
【００４８】
（実施例４）
本実施例のレジスタは、上記（３）のレジスタの一例である。本実施例のレジスタを図２と同位置からみた上面図を図７〜９に示す。
【００４９】
本実施例のレジスタは、リテーナ１に設けられている隆起部１０の傾斜面１１が実施例３のものよりも急勾配になっている。
【００５０】
本実施例のレジスタは、実施例１のものと同じ形状の３つの縦フィンからなる中央フィン（右フィン８２、中フィン８１、左フィン８０）と、中央フィンを構成する各縦フィンとは異なる形状の右端フィン２６および左端フィン２５を持つ。本実施例では、中央フィンと、左端フィン２５と右端フィン２６とから縦フィン群が構成されている。
【００５１】
中央フィンは実施例３のものと同様に、上方の回動軸をリテーナ１の上壁に下方の回動軸をリテーナ１の下壁に枢支され、下方の回動軸に連続する縦フィン側連結部の駆動端部２３がリテーナ１の下壁下方に配されている棒状の第２リンク板２４に枢支されている。
【００５２】
左端フィン２５および右端フィン２６は、各々、空気流路上流側に配置される上流部材６０と、空気流路下流側に配置される下流部材６１とが連結されてなる。下流部材６１のうち上流部材６０に連結される側の端部は、上下方向の中央部が肉欠きされた形状に形成され上下に貫通する貫通孔が設けられている。そして、上流部材６０のうち下流部材６１に連結される側の端部は、この肉欠きされた部分に対応して小形に形成されており、貫通孔に対応する位置に上下に延びる連結軸部６２が設けられている。そして上流部材は下流部材の肉欠きされた部分に嵌め込まれ、連結軸部６２が貫通孔に枢支されて連結されている。連結軸部６２の上側の部分は下流部材６１の貫通孔よりもさらに上方に延び、リテーナ１の上壁に枢支されている。また、連結軸部６２の下側の部分は下流部材６１の貫通孔よりもさらに下側に延びリテーナ１の下壁に枢支されている。連結軸部６２のうち下側の部分には、中央フィンの下側の回動軸２２と同様に縦フィン側連結部が設けられ、駆動端部２３が第２リンク板２４に枢支されている。
【００５３】
左端フィン２５および右端フィン２６の下流部材６１には、下流端部２７から下方に延びるフィンガイド軸部６３が設けられている。一方、リテーナ１の下壁には、各々のフィンガイド軸部６３に対応した位置に、連結軸部６２を中心とする円弧状のフィンガイド溝６４が設けられている。各々の下流部材６１のフィンガイド軸部６３はフィンガイド溝６４内にスライド可能に保持されている。
【００５４】
リテーナ１の下壁の下方には、略円盤状の駆動部材７０が配置されている。駆動部材７０はリテーナ１下壁の略中央部に軸支されており、軸心７１を中心に回動する。駆動部材７０の一部には円周部から軸心７１に向けて切れ込み状の把持部７２が設けられており、この把持部７２には中フィン８１の縦フィン側連結部が把持されている。
【００５５】
駆動部材７０には、対称となる２カ所に弧状のリンク板ガイド溝７３が設けられている。各々のリンク板ガイド溝７３は、対称な形状に形成されている。各々のリンク板ガイド溝７３は駆動部材７０の把持部７２が空気流路の最上流側に配されるようにしたときに、弧の凸部が空気流路上流側に向くように、空気流路の下流側から上流側に向けて延びている。
【００５６】
駆動部材７０には２つの第３リンク板７５が取付されている。第３リンク板７５は略Ｌ字の板状に形成され、一端側に駆動軸部７６を持ち、他端側に長孔７７を持ち、屈曲端側に棒状のリンク板回動軸７８を持つ。そして、駆動軸部７６がリンク板ガイド溝７３にスライド可能に保持されて、駆動部材７０に取付されている。また、第３リンク板７５のうちリンク板回動軸７８はリテーナ１の下壁に枢支され、長孔７７には下流部材６１のフィンガイド軸部６３が挿通されている。駆動部材７０の一部は第２窓部を経てレジスタの前側に表出している。そしてこの表出した部分は、縦フィン群を回動させるための操作端となる。
【００５７】
本実施例のレジスタは、以下のように動作する。
【００５８】
先ず、図７に示される各々の縦フィン２０が空気流路と平行に配されている状態から、縦フィン２０を回動させ、左端フィン２５の下流端部２７をリテーナ１の左側壁に向ける場合には、図８に示すように、第２リンク板２４が右方に動き、中央フィン（右フィン８２、中フィン８１、左フィン８０）、左端フィン２５の上流部材６０および右端フィン２６の上流部材６０が回動軸２１、２２を中心に回動する。そして中央フィンは下流端部２７を左側に向け上流端部２８を右側に向け、左端フィン２５および右端フィン２６は上流端部２８を右側に向ける。このとき、中フィン８１の縦フィン側連結部が駆動端部２３とともに右側に変位するため、中フィン８１の縦フィン側連結部を把持する把持部７２が右側に押され、駆動部材７０が右まわりに回動する。すると、駆動部材７０に設けられている２つのリンク板ガイド溝７３もまた駆動部材７０の回動に伴って右まわりに変位する。そして、リンク板ガイド溝７３に保持されている駆動軸部７６が、この変位に伴ってリンク板ガイド溝７３内をスライドしつつ移動し、第３リンク板７５はリンク板回動軸７８を中心に左まわりに回動する。そして、第３リンク板７５の長孔７７も左回りに変位するために、長孔７７に挿通されているフィンガイド軸部６３がフィンガイド溝６４に案内されつつ第３リンク板７５に押されて、下流部材６１が右回りに回動する。このとき、左端フィン２５の下流部材６１は右端フィン２６の下流部材６１よりも大きく回動する。そして、左端フィン２５の下流部材６１のうち、下流端側の部分が、リテーナ１の左側壁に設けられている隆起部１０の傾斜面１１に面接触する。
【００５９】
一方、右端フィン２６の下流部材６１は左端フィン２５の下流部材６１ほど大きく回動せず、右端フィン２６の下流部材６１は、左フィン８０、中フィン８１および右フィン８２と略同じ角度に傾斜する。
【００６０】
そして、図８に示す状態から縦フィン２０を回動させ右端フィン２６の下流端部２７をリテーナ１の右側壁に向ける場合には、図９に示すように、第２リンク板２４が左方に動き、中央フィンが下流端部２７を右側に向け上流端部２８を左側に向け、左端フィン２５および右端フィン２６は上流端部２８を左側に向ける。このとき同時に把持部７２が左側に押され、駆動部材７０が左まわりに回動する。そして、左側第３リンク板７５がリンク板ガイド溝７３に案内されて右まわりに回動して、左端フィン２５および右端フィン２６の下流部材６１が左まわりに回動する。そして、右端フィン２６の下流部材６１のうち下流端側の部分がリテーナ１の右側壁に設けられている隆起部１０の傾斜面１１に面接触し、左端フィン２５の下流部材６１は左フィン８０、中フィン８１および右フィン８２と略同じ角度に傾斜する。
【００６１】
本実施例のレジスタでは、各端側フィン２５、２６が上流部材６０と下流部材６１とから構成され、端側フィン２５、２６が下流端部２７をリテーナ１の内周面に向ける際には、下流部材６１が上流部材６０よりも大きく回動する。このため、端側フィン２５、２６の下流端側の部分が隆起部１０に面接触でき、かつ、上流端部２８とリテーナ１の内周面との干渉が防止される。従って、本実施例のレジスタでも、端側流路４０が確実に遮蔽され、端側流路４０を通る空気がフィン間流路４１を通る空気の流れを干渉する不具合が抑えられ、レジスタに優れた指向性能が付与される。
【００６２】
なお、本実施例では、第２リンク板２４、第３リンク板７５、駆動部材７０、およびフィンガイド溝６４を設け、下流部材６１に作用する回動推進力を上流部材６０や中央フィンに作用する回動推進力よりも大きくしている。しかし、これに限らず、異径のギヤを組み合わせる等の方法で、下流部材６１に作用する回動推進力を上流部材６０や中央フィンに作用する回動推進力よりも大きくしてもよい。この場合にも本実施例と同様に、端側フィン２５、２６が下流端部２７をリテーナ１の内周面に向ける際の下流部材６１の回動角度を上流部材６０の回動角度よりも大きくできる。
【００６３】
また、本実施例では、下流部材６１はリテーナ１の一部からなる隆起部１０に面接触しているが、リテーナ１に隆起部１０を設けず、下流部材６１をリテーナ１の壁面に当接させても良い。この場合にも、下流部材６１は上流部材６０よりも大きく回動するために、一方の端側フィン２５、２６の下流端部２７で端側流路４０を遮蔽する際に他方の端側フィン２５、２６の上流端部２８がリテーナ１の内周面に干渉することない。このため、この場合にも端側流路４０を充分に遮蔽でき、レジスタに優れた指向性能を付与することができる。
【００６４】
（比較例）
比較例のレジスタは、隆起部１０を持たないこと以外は実施例１のレジスタと同じ形状に形成されたものである。この比較例のレジスタは、図１１に示す従来のレジスタと同じものである。
【００６５】
（指向性能試験）
実施例１、２のレジスタと、比較例のレジスタとに空気を流通させ、各々のレジスタの指向性能を測定した。各々のレジスタをブロアーに接続して空気を流通させた。このとき、縦フィン群２を構成する各々の縦フィン２０をリテーナ１の側壁に対して４０°傾斜した位置に回動させ、レジスタから流出する空気の流れを風速センサで測定した。比較例のレジスタでは、空気は、リテーナ１の側壁に対して２０°の角度で流出した。比較例のレジスタにおける指向性能（流出した空気の角度をフィンの傾斜角度で除し１００を乗した値）は５０（％）であった。
【００６６】
一方、実施例１、２のレジスタでは、空気は、リテーナ１の側壁に対して３３．６°の角度で流出した。実施例１、２のレジスタにおける指向性能は８４（％）であった。実施例１、２のレジスタの指向性能は比較例のレジスタの指向性能の１．７倍程度に高められている。この結果から、本発明のレジスタは従来のものと比較して非常に優れた指向性能を示すことがわかる。
【図面の簡単な説明】
【００６７】
【図１】実施例１のレジスタを模式的に表す切り欠き斜視図である。
【図２】実施例１のレジスタを図１上方からみた上面図である。
【図３】実施例２のレジスタを図２と同位置からみた上面図である。
【図４】実施例３のレジスタを図２と同位置からみた上面図である。
【図５】実施例３のレジスタを図２と同位置からみた上面図である。
【図６】実施例３のレジスタを図２と同位置からみた上面図である。
【図７】実施例４のレジスタを図２と同位置からみた上面図である。
【図８】実施例４のレジスタを図２と同位置からみた上面図である。
【図９】実施例４のレジスタを図２と同位置からみた上面図である。
【図１０】従来のレジスタを図２と同位置からみた上面図である。
【図１１】従来のレジスタを図２と同位置からみた上面図である。
【符号の説明】
【００６８】
１：リテーナ  ２０：縦フィン  ３０：横フィン  １０：隆起部  ２５、２６：端側フィン  ２７：下流端部  ２８：上流端部  ６０：上流部材  ６１：下流部材
【図１】
2006088806.tif 000003
【図２】
2006088806.tif 000004
【図３】
2006088806.tif 000005
【図４】
2006088806.tif 000006
【図５】
2006088806.tif 000007
【図６】
2006088806.tif 000008
【図７】
2006088806.tif 000009
【図８】
2006088806.tif 000010
【図９】
2006088806.tif 000011
【図１０】
2006088806.tif 000012
【図１１】
2006088806.tif 000013